(57)【要約】【課題】  本発明は、遊技者が風車部材の裏側を視認可能な構造を持つことができる【解決手段】  遊技球が流下可能な遊技領域を備える遊技盤３０と、遊技盤３０に回転可能に軸支され、遊技領域を流下する遊技球に変化を与える風車部材３１とが備えられている。この風車部材３１は、遊技者から見て風車部材３１と遊技盤３０とが重なる部分において少なくとも一部が透光性を有する部材によって形成されている。【選択図】       図２
2005287785.tif 000002
【特許請求の範囲】
【請求項１】
遊技球が流下可能な遊技領域を備える遊技盤と、
前記遊技盤に回転可能に軸支され、前記遊技領域を流下する遊技球に変化を与える風車部材とを備える遊技機であって、
前記風車部材は、遊技者から見て前記風車部材と前記遊技盤とが重なる部分において少なくとも一部が透光性を有する部材によって形成されていることを特徴とする遊技機。
【請求項２】
表側において所定の画像を表示可能な表示手段が備えられており、
前記遊技盤は、前記表示手段の表側において配備され、少なくとも一部が透光性を有する部材で形成され、
前記風車部材は、前記遊技盤に形成された透光性を有する部材に配備されていることを特徴とする請求項1に記載の遊技機。
【請求項３】
前記風車部材は、一つの軸心を中心に回転する円盤部材を備えており、
前記円盤部材は、少なくとも一部が透光性を有する部材で形成され、前記軸心から外側に向かって平状に形成されていることを特徴とする請求項１又は請求項２のいずれかに記載の遊技機。
【発明の詳細な説明】
【技術分野】
【０００１】
本発明は、パチンコ遊技機等の遊技機に関する。
【背景技術】
【０００２】
従来から、回転可能に軸支された風車部材が備えられた遊技機が提供されている（例えば、特許文献１）。この遊技機に配備された遊技盤には釘が風車部材の中心に挿通されて取り付けられており、風車部材は遊技球が当接した衝撃で回転可能となる。この風車部材の前面には釘の頭部を覆うカバー部材が備えられ、当該カバー部材に装飾が施されることにより、遊技機は、高級感のある風車部材、又は遊技機のテーマに沿う風車部材を遊技者によって視認させることが可能な構造を持つことができる。
【特許文献１】特開２００２−３２５９０１号公報
【発明の開示】
【発明が解決しようとする課題】
【０００３】
しかしながら、風車部材に装飾が施されている場合には、正面側から見て風車部材の裏側が遊技者によって視認可能でなくなるため、風車部材の裏側にある遊技盤に施されたデザインが風車部材によって妨げられたり、遊技者が風車部材の裏側で流下する遊技球の行方を推測することができないという問題点が生じていた。
【０００４】
そこで、本発明は以上の点に鑑みてなされたものであり、遊技者が風車部材の裏側を視認可能な構造を持つことができる遊技機を提供することを目的とする。
【課題を解決するための手段】
【０００５】
本発明は、上記課題を解決するために、遊技球が流下可能な遊技領域を備える遊技盤（例えば、遊技盤３０）と、遊技盤に回転可能に軸支され、遊技領域を流下する遊技球に変化を与える風車部材（例えば、風車部材３１）とを備える遊技機であって、風車部材は、遊技者から見て風車部材と遊技盤とが重なる部分において少なくとも一部が透光性を有する部材で形成されていることを特徴とする。
【０００６】
このような本発明によれば、遊技者から見て風車部材と遊技盤とが重なる部分において少なくとも一部が透光性を有する部材で風車部材が形成されていることにより、遊技機は、風車部材の裏側を遊技者が視認可能な構造を持つことができる。すなわち、遊技機は、風車部材の裏側で流下する遊技球の行方を遊技者が推測可能な構造を持つことができるとともに、風車部材の裏側で遊技盤に施されている装飾を遊技者が視認可能な構造を持つことができる。
【０００７】
上記発明においては、表側において所定の画像を表示可能な表示手段（例えば、液晶表示装置７０）が備えられており、遊技盤は、表示手段の表側において配備され、少なくとも一部が透光性を有する部材で形成され、風車部材は、遊技盤に形成された透光性を有する部材に配備されてもよい。この場合には、遊技盤が表示手段の表側において配備され、風車部材が遊技盤に形成された透光性を有する部材に配備されることにより、遊技機は、風車部材の裏側で表示手段に表示されている画像を遊技者が視認可能な構造を持つことができる。
【０００８】
上記発明においては、風車部材は、一つの軸心を中心に回転する円盤部材（例えば、円盤部材３１１）を備えており、円盤部材は、少なくとも一部が透光性を有する部材で形成され、軸心から外側に向かって平状に形成されてもよい。この場合には、円盤部材が透光性を有する部材で形成され、軸心から外側に向かって平状に形成されていることにより、円盤部材が凹凸を有しなくフラット化されるため、遊技機は、風車部材の裏側で表示手段に表示されている画像を遊技者がより良く視認可能な構造を持つことができる。
【発明の効果】
【０００９】
本発明によれば、遊技者が風車部材の裏側を視認可能な構造を持つことができる。
【発明を実施するための最良の形態】
【００１０】
（遊技機の構成）
本実施形態における遊技機１の構成について、図面を参照しながら説明する。図１は、遊技機１を構成する各部を分解した様子を示す分解説明図である。
【００１１】
遊技機１は、図１に示すように、ガラスドア１０と、皿ユニット２０と、遊技盤３０と、発射装置４０と、ベースドア６０と、液晶表示装置７０と、木枠８０と、払出ユニット９０と、基板ユニット１００とを備えている。
【００１２】
ガラスドア１０は、図１に示すように、ベースドア６０の一端側に対して開閉可能に軸着されている。このガラスドア１０の中央には、ガラスドア１０の表側と裏側とが連通した開口部１１が形成されている。この開口部１１には透明なガラス板が配備されており、このガラス板は、ガラスドア１０が閉められた状態で、遊技盤３０の表側に向い合うように配備されている。
【００１３】
皿ユニット２０は、ガラスドア１０の下方に配置されるようにベースドア６０に取り付けられている。この皿ユニット２０には、皿ユニット２０の上方に遊技領域に遊技球を発射させるための遊技球を貯留する上皿２０ａと、皿ユニット２０の下方に入賞に関する遊技球を受け入れるための下皿２０ｂとが配備されている。
【００１４】
遊技盤３０は、液晶表示装置７０の表側において配備され、ベースドア６０の表側に取り付けられている。この遊技盤３０は、少なくとも一部が透光性を有する部材で形成されている。この部材としては、例えば、無色透明のアクリル樹脂材、ボリカーボネート樹脂又はポリアリレート樹脂等の合成樹脂が挙げられる。
【００１５】
この遊技盤３０は、該遊技盤３０の表側又は裏側において遊技球が流下可能な遊技領域を備えている。この遊技盤３０には、遊技球の流下方向に変化を与え、又は遊技領域へ射出された遊技球を受け入れる遊技部材（例えば、遊技球の流下方向に変化を与える風車部材３１又は流下方向変化部材、遊技領域へ射出された遊技球を受け入れる始動入賞装置又は大入賞装置など）、遊技領域へ射出された遊技球を排出するためのアウト口等が配備されている。また、遊技盤３０の裏側には遊技盤３０と液晶表示装置７０とを離間させるためのスペーサ１１０が配備されている。
【００１６】
発射装置４０は、皿ユニット２０の側方に配置されるようにベースドア６０に着脱可能に取り付けられている。この発射装置４０は、回転操作されることにより遊技盤３０上の遊技領域に向けて遊技球を発射するように構成されている。
【００１７】
ベースドア６０は、木枠８０の一端側に対して開閉可能に軸着されている。このベースドア６０の上方にはスピーカー５０を収納可能な収容部６１が備えられている。この収容部６１にはスピーカー５０が嵌め込まれ、嵌め込まれたスピーカー５０が固定部材（図示せず）により固定される。
【００１８】
また、ベースドア６０の中央付近にはベースドア６０の表側と裏側とが連通した開口部６２が形成されている。上述の遊技盤３０は、開口部６２の表側と向い合う位置にベースドア６０に配備され、液晶表示装置７０は、開口部６２の裏側と向い合う位置にベースドア６０に配置されている。これにより、遊技者は、ガラスドア１０に配備されたガラス板と、遊技盤３０のうち透光性を有する部材とを介して、液晶表示装置７０における表示領域７０ａを視認することが可能となる。
【００１９】
液晶表示装置７０は、遊技盤３０のうち透光性を有する部材の裏側に配置されるように、ベースドア６０の裏側に取り付けられている。この液晶表示装置７０は、所定の画像を表示可能に構成されている。この所定の画像には、特別図柄制御処理により可変表示及び停止表示される特別図柄、普通図柄制御処理により可変表示及び停止表示される普通図柄、人物・動物・物を想起させるキャラクターの画像、又は背景が含まれる背景画像が挙げられる。
【００２０】
また、液晶表示装置７０は、遊技盤３０に配備された透光性を有する遊技部材（例えば、風車部材３１、一般入賞口（図示せず）など）の裏側において、当該遊技部材の形状に沿うような画像を表示可能に構成されている。これにより、液晶表示装置７０は、遊技部材の装飾を擬似的に行なうことができる。
【００２１】
木枠８０は、遊技場に備えられている島設備に固定される部材であり、木枠８０の一端側でベースドア６０が開閉可能に軸着されている。この木枠８０には木枠８０の表側と裏側とが連通した開口部８０ａが形成されている。この開口部８０ａにはベースドア６０、液晶表示装置７０、払出ユニット９０、基板ユニット１００等が配置されている。
【００２２】
払出ユニット９０は、木枠８０の一端側で開閉可能に軸着されている。この払出ユニット９０は、遊技場における設備によって供給される遊技球を貯留する貯留タンク９０ａを備えている。この貯留タンク９０ａに貯留された遊技球が必要に応じて払出口（図示せず）へ誘導される。
【００２３】
基板ユニット１００は、払出ユニット９０が軸着されている一端と向い合う他端に軸着されている。この基板ユニット１００には、遊技機１における動作を主に制御するための電子部品等が配備された主制御基板（図示せず）、主制御基板から出力される命令信号に基づいて演出などを制御するための電子部品等が配備された副制御基板（図示せず）などが収納されている。
【００２４】
図２は、風車部材３１等が遊技盤３０に配備された様子を示す斜視図である。図３は、風車部材３１を示す斜視図である。図４は、風車部材３１を示す上面図である。図５は、風車部材３１の断面を示すＡ−Ａ断面図である。
【００２５】
風車部材３１は、遊技盤３０に回転可能に軸支され、遊技領域を流下する遊技球に変化を与える部材であり、円盤部材３１１と、連結部材３１２と、羽根部材３１３と、支持部材３１４とを備えている。この風車部材３１は、遊技盤３０に形成された透光性を有する部材に配置され、遊技者から見て風車部材３１と遊技盤３０とが重なる部分において少なくとも一部が透光性を有する部材によって形成されている。
【００２６】
円盤部材３１１は、円盤状に形成され、一つの軸心を中心に回転する部材である。本実施形態における円盤部材３１１は、少なくとも一部が透光性を有する部材で形成され、軸心から外側に向かって平状に形成されている。この円盤部材３１１は、円盤部材３１１の外周縁を表側へ湾曲させて形成された周辺部３１１ａと、円盤部材３１１の軸心から周辺部３１１ａに向かって平状に形成された平部３１１ｂと、円盤部材３１１の中心部において円盤部材３１１の表側と裏側とが連通した開口部３１１ｃとを備えている。
【００２７】
前記羽根部材３１３は、中心から外側に向かって放射状に形成された複数の羽根板３１３ａと、羽根部材３１３の中心軸に沿って形成され、支持部材３１４が挿通可能に形成された挿通路３１３ｂと、円盤部材３１１及び羽根部材３１３が接する側に配備されるとともに挿通路３１３ｂの内周側に配備され、羽根部材３１３を連結部材３１２に係止するための係止片３１３ｃと、円盤部材３１１及び羽根部材３１３が接する側に配備され、開口部３１１ｃの内壁面に接触可能な凸部材３１３ｄとを備えている。
【００２８】
前記連結部材３１２は、円盤部材３１１と羽根部材３１３とを連結するための部材である。この連結部材３１２は、連結部材３１２の中心軸に沿って形成され、支持部材３１４が挿通可能に形成された挿通路３１２ａと、連結部材３１２の裏側にある連結部材３１２の端部に備えられ、連結部材３１２を円盤部材３１１に係止するための係止片３１２ｂと、羽根部材３１３に配備された係止片３１３ｃが嵌め込まれるための穴３１２ｃとを備えている。
【００２９】
ここで、風車部材３１の組立方法は次の通りである。先ず、円盤部材３１１の裏面に羽根部材３１３が接触された状態で、円盤部材３１１と羽根部材３１３との軸心が一致するようにする。この場合に、羽根部材３１３に配備された凸部材３１３ｄが円盤部材３１１に配備された開口部３１１ｃの内壁面に接触されることにより、円盤部材３１１と羽根部材３１３との軸心が一致するようになる。そして、羽根部材３１３に配備された係止片３１３ｃが連結部材３１２に配備された穴３１２ｃに嵌め込まれることにより、連結部材３１２と羽根部材３１３とが結合される。これと同時に、連結部材３１２に配備された係止片３１２ｂが開口部３１１ｃを介して開口部３１１ｃの内周縁で係止されることにより、連結部材３１２と円盤部材３１１とが結合される。そして、連結部材３１２の挿通路３１２ａと羽根部材３１３の挿通路３１３ｂとに支持部材３１４（例えば、釘）が挿通されて、該支持部材３１４の先端が遊技盤３０に打ち込まれるこにより、円盤部材３１１及び羽根部材３１３が支持部材３１４を中心として回転可能となる。
【００３０】
（遊技機による作用及び効果）
このような本願に係る発明によれば、遊技者から見て風車部材３１と遊技盤３０とが重なる部分において少なくとも一部が透光性を有する部材で風車部材３１が形成されていることにより、遊技機１は、風車部材３１の裏側を遊技者が視認可能な構造を持つことができる。すなわち、遊技機１は、風車部材３１の裏側で流下する遊技球の行方を遊技者が推測可能な構造を持つことができるとともに、風車部材３１の裏側で遊技盤３０に施されている装飾を遊技者が視認可能な構造を持つことができる。
【００３１】
また、遊技盤３０が液晶表示装置７０の表側において配備され、風車部材３１が遊技盤３０に形成された透光性を有する部材に配備されることにより、遊技機１は、風車部材３１の裏側で液晶表示装置７０に表示されている画像を遊技者が視認可能な構造を持つことができる。
【００３２】
さらに、円盤部材３１１が透光性を有する部材で形成され、軸心から外側に向かって平状に形成されていることにより、円盤部材３１１が凹凸を有しなくフラット化されるため、遊技機１は、風車部材３１の裏側で液晶表示装置７０に表示されている画像を遊技者がより良く視認可能な構造を持つことができる。
【００３３】
なお、本実施形態では、遊技盤３０の少なくとも一部が透光性を有する部材で形成されているとして説明したが、これに限定されるものではなく、遊技盤３０は非透明な部材（例えば、木製などの通常用いられる部材）で形成されてもよい。この場合には、遊技機１は、風車部材３１と通常用いられる遊技盤３０との間で流下する遊技球の行方を遊技者が推測可能な構造を持つことができる。また、遊技機１は、風車部材３１の裏側で通常用いられる遊技盤３０に施された装飾を遊技者が視認可能な構造を持つことができる。
【００３４】
なお、本実施形態では、風車部材３１の少なくとも一部が透光性を有する部材で形成されているが、これに限定されずに、この風車部材３１の少なくとも一部に装飾が施されてもよい。この場合には、遊技機１は、風車部材３１の裏側を遊技者が視認可能な構造を持つことができるとともに、風車部材３１に施された装飾を見て楽しませることができる。
【００３５】
なお、本実施形態では、遊技盤３０又は風車部材３１の少なくとも一部が透光性を有する部材で形成されているが、この透光性には無色透明又は有色透明が含まれてもよい。
【００３６】
なお、円盤部材３１１の少なくとも一部が透光性を有する部材で形成され、支持部材３１４が非透明な部材で形成されてもよい。
【図面の簡単な説明】
【００３７】
【図１】本実施形態における遊技機の各部を分解した様子を示す分解図である。
【図２】本実施形態における遊技盤を示す斜視図である。
【図３】本実施形態における風車部材を示す斜視図である。
【図４】本実施形態における風車部材を示す上面図である。
【図５】本実施形態における風車部材を示すＡ−Ａ断面図である。
【符号の説明】
【００３８】
１…遊技機、５…一般入賞口、１０…ガラスドア、１１…開口部、２０…皿ユニット、２０ａ…上皿、２０ｂ…下皿、３０…遊技盤、３１…風車部材、４０…発射装置、５０…スピーカー、６０…ベースドア、６１…収容部、６２…開口部、７０…液晶表示装置、７０ａ…表示領域、８０…木枠、８０ａ…開口部、９０…払出ユニット、９０ａ…貯留タンク、１００…基板ユニット、３１１…円盤部材、３１１ａ…周辺部、３１１ｂ…平部、３１１ｃ…開口部、３１２…連結部材、３１２ａ…挿通路、３１２ｂ…係止片、３１２ｃ…穴、３１３…羽根部材、３１３ａ…羽根板、３１３ｂ…挿通路、３１３ｃ…係止片、３１３ｄ…凸部材、３１４…支持部材
【図１】
2005287785.tif 000003
【図２】
2005287785.tif 000004
【図３】
2005287785.tif 000005
【図４】
2005287785.tif 000006
【図５】
2005287785.tif 000007